(57)【要約】【課題】厚紙両面原稿であっても原稿へのストレスを与えることなく、また操作上も効率よく両面画像を読み取るＡＤＦを備えた画像形成装置を提供することにある。【解決手段】原稿画像の表面を読み取る第１面読み取り手段３と原稿画像の裏面を読み取る第２面読み取り手段４を有する自動原稿送り装置を備えた画像形成装置において、前記第２面読み取り手段４の搬送ギャップを調整可能な搬送ギャップ調整駆動手段８０を有する。【選択図】      図３
2004274278.tif 000002
【特許請求の範囲】
【請求項１】
原稿画像の表面を読み取る第１面読み取り手段と原稿画像の裏面を読み取る第２面読み取り手段を有する自動原稿送り装置を備えた画像形成装置において、前記第２面読み取り手段の搬送ギャップを調整可能な搬送ギャップ調整駆動手段を有することを特徴とする画像形成装置。
【請求項２】
さらに、原稿ターン搬送経路下流部に開閉可能な第２給紙口を有し、前記第２給紙口近傍に原稿紙厚検出手段を設けたことを特徴とする請求項１記載の画像形成装置。
【請求項３】
前記原稿紙厚検出手段による検出結果に基づき、前記搬送ギャップの調整値を決定する制御手段を有することを特徴とする請求項１記載の画像形成装置。
【請求項４】
前記搬送ギャップ調整制御は片面モードと両面モードで異なり、裏面画像読み取り前のみシェーディングデータ生成位置に搬送ギャップを設定する制御手段を有することを特徴とする請求項１記載の画像形成装置。
【請求項５】
前記搬送ギャップ調整駆動手段の駆動を、シェーディングデータ取得時と原稿第２面読み取り時で切り替える切り替え制御手段を有することを特徴とする請求項１記載の画像形成装置。
【請求項６】
第２給紙口開閉検知手段と複数の搬送ギャップ調整位置を有し、前記第２給紙口が開状態のときには前記搬送ギャップ調整駆動手段を原稿読み取り時に最下段に動作させる動作制御手段を有することを特徴とする請求項２記載の画像形成装置。
【発明の詳細な説明】
【０００１】
【発明の属する技術分野】
本発明は、原稿画像の表面を読み取る第１面読み取り手段と原稿画像の裏面を読み取る第２面読み取り手段を有する自動原稿送り装置（以下、ＡＤＦ）を備えた画像形成装置に関するものである。
【０００２】
【従来の技術】
画像形成装置において１つの読み取り手段に対して両面原稿を反転搬送して読み取るＡＤＦに１枚送り用の第２給紙口を有した技術は知られており（例えば、特許文献１参照）、また、原稿紙厚を検知する従来技術も知られている（例えば、特許文献２参照）。
特許文献１に開示された技術によれば、厚紙原稿の両面を読み取るためには原稿反転経路を通過させるか、一度原稿の表面をすべて読み取った後に再度原稿の裏面を読み取るために原稿を第２給紙口に再セットする必要がある。
また、特許文献２に開示された技術によれば、原稿の重送検出をその目的としており、原稿搬送条件を最適化させるための搬送ギャップ調整機構に関する技術には直接関連は無い。
【特許文献１】特開平０６−１２４０３０号公報
【特許文献２】特開平０５−０４３０９１号公報
【０００３】
【発明が解決しようとする課題】
密着型等倍イメージセンサ（以下ＣＩＳ）では、フラットベッドタイプに代表される縮小光学系ＣＣＤセンサと比較して焦点深度が浅いため、ＣＩＳを用いた読み取り系では原稿をＣＩＳガラス表面に密着させるべく搬送ギャップが狭く設定されている。
ＡＤＦは省スペース化の目的でターン搬送部を有することが多く、厚紙搬送時にはターン部の曲率によっては原稿搬送が不能であったり、搬送可能であってもスリップ率の増加などによる画像品質への影響が懸念される。
また、原稿反転経路を持たずに第２面読み取り手段によって原稿の裏面画像を読み取るＡＤＦであっても、紙厚の厚い原稿を基準に搬送ギャップを決めると通常の紙厚の原稿通紙時に読み取り部でのＣＩＳ−原稿面間の距離が不安定となり、逆に通常の紙厚の原稿を基準に搬送ギャップを決めると厚紙搬送時に読み取り部でのギャップが狭くなることによるジターの発生といった問題があった。
さらに、搬送ギャップによるシェーディングデータ取得時の白基準までの距離と、原稿読み取り時の原稿面までの距離の違いによる読み取りレベル差が生じ、シェーディング補正後の濃度ムラが発生する場合があった。
そこで本発明の目的は、上記の問題点を解決するために、厚紙両面原稿であっても原稿へのストレスを与えることなく、また操作上も効率よく両面画像を読み取るＡＤＦを備えた画像形成装置を提供することにある。
【０００４】
【課題を解決するための手段】
前記の課題を解決するために、請求項１記載の発明では、原稿画像の表面を読み取る第１面読み取り手段と原稿画像の裏面を読み取る第２面読み取り手段を有する自動原稿送り装置を備えた画像形成装置において、前記第２面読み取り手段の搬送ギャップを調整可能な搬送ギャップ調整駆動手段を有する画像形成装置を最も主要な特徴とする。
請求項２記載の発明では、さらに、原稿ターン搬送経路下流部に開閉可能な第２給紙口を有し、前記第２給紙口近傍に原稿紙厚検出手段を設けた請求項１記載の画像形成装置を主要な特徴とする。
請求項３記載の発明では、前記原稿紙厚検出手段による検出結果に基づき、前記搬送ギャップの調整値を決定する制御手段を有する請求項１記載の画像形成装置を主要な特徴とする。
請求項４記載の発明では、前記搬送ギャップ調整制御は片面モードと両面モードで異なり、裏面画像読み取り前のみシェーディングデータ生成位置に搬送ギャップを設定する制御手段を有する請求項１記載の画像形成装置を主要な特徴とする。
請求項５記載の発明では、前記搬送ギャップ調整駆動手段の駆動を、シェーディングデータ取得時と原稿第２面読み取り時で切り替える切り替え制御手段を有する請求項１記載の画像形成装置を主要な特徴とする。
請求項６記載の発明では、前記第２給紙口開閉検知手段と複数の搬送ギャップ調整位置を有し、第２給紙口が開状態の時には前記搬送ギャップ調整駆動手段を原稿読み取り時に最下段に動作させる動作制御手段を有する請求項２記載の画像形成装置を主要な特徴とする。
【０００５】
【発明の実施の形態】
以下、図面により本発明の実施の形態を詳細に説明する。図１は本発明の実施の形態である画像形成装置としての複写機の概略構造を示す縦断正面図である。図２は複写機で使用される第２読み取りローラおよびその前後の原稿搬送経路の縦断正面図である。
この複写機は、本発明の画像形成装置を実施するものであって、図１および図２に示すように、画像読み取り装置である読み取り装置１と、この読み取り装置１で読み取った画像データに基づいて電子写真方式で用紙上に画像形成を行うプリンタ２とを備えている。
読み取り装置１は、第１画像読み取り部３、第２画像読み取り部４、原稿セット部５、原稿排紙部６、原稿ターン搬送経路７、多数の搬送ローラ８、第１コンタクトガラス９、第２コンタクトガラス１０、第１読み取りローラ１１、第２読み取りローラ（白基準部材）１２、基準白色読み取り面１３等によって構成されている。
原稿セット部５には、読み取り対象となる原稿がセットされ、原稿排紙部６には画像の読み取りが行われた原稿が排紙される。原稿ターン搬送経路７は、原稿セット部５と原稿排紙部６との間に設けられた経路であって、画像の読み取りが行われる原稿が一枚ずつ搬送される。
通常使用状態では原稿の読み取りのさいには、モードを切り替えることにより、原稿が片面原稿の場合には第１画像読み取り部３において原稿表面のみ画像の読み取りが行われ、原稿が両面原稿の場合には第１画像読み取り部３で表面画像を、第２画像読み取り部４で裏面画像を読み取る。
【０００６】
第１画像読み取り部３は、第１コンタクトガラス９上に位置固定で載置された原稿の画像をＣＣＤ３ａで読み取ることができ、また、第２コンタクトガラス１０と第１読み取りローラ１１との間（すなわち、原稿ターン搬送経路７上）を搬送される原稿の画像（表面画像）を読み取ることができる。
原稿ターン搬送経路７上を搬送される原稿の読み取りが行われる場合、第１読み取りローラ１１は駆動用のステッピングモータ（図示せず）により搬送ローラ８と同速で回転駆動され、搬送される原稿を第２コンタクトガラス１０に押し付けるように作用する。
第２画像読み取り部４は、原稿ターン搬送経路７上を搬送される原稿の画像（裏面画像）を光電変換素子２５（図４参照）で読み取ることができる。第２読み取りローラ１２は原稿ターン搬送経路７を挟んで第２画像読み取り部４に対向配置されシェーディングデータ生成時の白基準として作用する。
第２読み取りローラ１２はこれとともに、第２画像読み取り部４による原稿の読み取りが行われる場合、ステッピングモータ（図示せず）により搬送ローラ８と同速で回転駆動され、原稿の画像面と第２画像読み取り部４との距離を一定に維持するように作用する。
プリンタ２は、感光体１４、レーザユニット１５、現像器１６、転写器１７、定着部１８等により構成されている。感光体１４の表面は帯電器（図示せず）により一様に帯電され、その感光体１４の表面に第１画像読み取り部３または第２画像読み取り部４で読み取られた画像がレーザユニット１５により書き込まれ、静電潜像が形成される。
この静電潜像は、現像器１６からトナーが供給されることによってトナー像として顕像化され、顕像化されたトナー像は転写器１７の働きにより給紙カセット１９から給紙された用紙２０に転写される。トナー像が転写された用紙２０は、定着部１８で定着処理が行われた後、排紙トレイ２１に排紙される。
【０００７】
図３は複写機の制御系の電気的な接続を示すブロック図である。図３に示すように、本体制御部２２はＣＰＵを備えていて、複写機全体を制御する。また、コントローラ２３はＣＰＵを備えていて、搬送ローラ８を駆動するモータ等の読み取り装置の各種アクチュエータ、センサが接続されている。
コントローラ２３はしたがってこれに接続された上記アクチュエータ、センサ等を制御する。操作部３２には、この複写機の種々の操作を行うための各種キーやＬＣＤディスプレイが設けられている。
図４は第２画像読み取り部のブロック図である。図４を参照して、第２画像読み取り部４はコントローラ２３からの点灯制御信号によって光源２４を点灯する。光源２４から原稿に照射される光によって、光電変換素子２５に原稿画像が図示しないレンズを介して集光される。
コントローラ２３からのゲート信号ＸＳＦＧＡＴＥ（後述）により、原稿が第２画像読み取り部４に到達したタイミングで原稿の画像を読み取り、その読み取った画像データは増幅（ＡＭＰ）回路２６、Ａ／Ｄ変換回路２７、画処理回路２８を介してフレームメモリ２９に一時蓄積される。
その後出力制御回路３０、Ｉ／Ｆ回路３１を介して本体制御部２２に画像データの転送が行われ、原稿の裏面を読み取った画像データが図示しない本体画像処理回路へと転送される。
このような構成において、この複写機では、両面コピーモードを選択した場合には、表面を上向きにして原稿セット部５にセットされた原稿が、一枚ずつ原稿ターン搬送経路７を搬送され、第１画像読み取り部３で表面側の画像が読み取られ、第２画像読み取り部４で裏面側の画像が読み取られる。そして、これらの第１、第２画像読み取り部３，４で読み取られた画像が同一の用紙２０の表面と裏面とにコピーされ、両面コピーが行われる。
【０００８】
図５は本発明による画像形成装置に使用するＡＤＦの搬送経路を示す概略図である。図５において、ターン搬送部Ｂの下流側の第１画像読み取り部３（表面読み取りローラ）上流部分に開閉可能な第２給紙口６１を設け、読み取り入口ローラ６２のニップ部に原稿先端を突き当てることにより、原稿搬送が可能な状態となる。
第２給紙口６１への原稿セットが第２原稿検知センサ５６によって検出されると、読み取り入口ローラ６２を所定量駆動してレジストセンサ５３にて原稿先端が検知された時点で一時停止する。本体プリントキー（図示せず）が押下されると、本体からの給紙スタート信号を受けて第１原稿読み取り部３で第１面（表面）の読み取りを第１面読み取り位置Ｃにおいて行うべく原稿搬送を開始する。
この時点で紙厚検知手段（センサ）５８の検出結果をコントローラ２３により採取し、搬送ギャップ調整機構（駆動手段）の駆動条件を同コントローラ内で設定する（後述の図８参照）。
図５には、さらに、原稿テーブル（原稿セット部）５、読み取りデータ出口ローラ６３、第２面（裏面）読み取りローラ６４、ＣＩＳ出口ローラ６５、排紙ローラ６６、ピックアップローラ６７、給紙ベルト６８、プルアウトローラ６９、中間ローラ７０、およびリバースローラ７１が示してある。
【０００９】
図６は第２原稿読み取り部の搬送ギャップ調整機構を示す概略図である。白基準部材１２はステッピングモータなどで構成される搬送ギャップ調整機構（搬送ギャップ調整駆動手段）８０によって上下動可能になっており、第２原稿読み取り部４であるＣＩＳガラス面とのギャップを以下のタイミングで調整することができる。
白基準部材１２はステッピングモータなどで構成される搬送ギャップ調整駆動手段８０によって、白基準部材保持部を上下動可能にしたカム８１の作用で、第２原稿読み取り部４であるＣＩＳガラス面とのギャップを以下のタイミングで調整することができる。
原稿の第１面の読み取りを開始（ＸＳＦＧＡＴＥがＯＮ）すると同時に搬送ギャップ調整駆動手段８０によってカム８１が回動する。ホームポジションセンサ５７によって白基準部材１２とＣＩＳガラス面のギャップが最小となる位置で停止し、白基準部材１２の外周面を読み取ることでシェーディングデータを生成する。
次に原稿先端が排紙センサ５４によって検知されると、第２給紙口６１からの原稿搬送時は搬送ギャップ駆動手段８０を所定パルスだけ反時計方向に駆動させる。これにより搬送ギャップが最大となる位置（例えば０．３ｍｍ程度）で停止して厚紙原稿の搬送経路を確保する。
一方、通常の給紙口からの原稿搬送時はシェーディングデータ取得時のホームポジション位置から搬送ギャップ駆動手段８０を所定パルスだけ時計方向（ＣＷ）に駆動させて第２給紙口６１からの搬送時よりも搬送ギャップが狭く設定される（制御フロー図１１参照）。それゆえ、使用される原稿給紙口で搬送ギャップを調整することにより、紙厚に応じた搬送ギャップが確保でき原稿搬送性が向上することになる。
このように、原稿ターン搬送経路の下流部に開閉可能な第２原稿給紙口を設けることにより、ターン搬送経路での通紙が困難な厚紙原稿の搬送が可能となり、また、紙厚検知手段により原稿紙厚を検出できるため、搬送可能な原稿か否かの判定が可能となり搬送不可能な原稿のジャム発生を未然に防止することができる。
【００１０】
図７は図６の第２原稿読み取り部の搬送ギャップ調整機構の変形例を示す概略図である。図７は図６で白基準部材保持部をカム８１の作用で上下動可能にしたのを、前記白基準部材１２の保持部をスパイラル部８２に連結されたプーリ８３とベルト８４によって上下動可能にしている。
本発明は、基本的には、原稿の第２面画像を読み取る光電変換素子２５と、原稿を照射する光源２４と、白シェーディング補正の白基準となる位置調整可能な白基準部材１２と、前記光電変換素子２５および光源２４によって前記白基準部材１２の外周面および搬送された原稿面を第２原稿読み取る読み取り部４を備え、かつ原稿ターン搬送経路７下流部に１枚送り用の第２給紙口６１を備えたＡＤＦである。
図８は第２給紙口搬送制御のフローの一例を示すフローチャートである。第２給紙口搬送制御は第２給紙口６１が開放（Ｓ１）で、第２原稿のセットが第２原稿検知センサ５６によって検出される（Ｓ２）と、搬送モータをオンする（Ｓ３）。
読み取り入口ローラ６２を所定量駆動してレジストセンサ５３がオンかどうか判断して（Ｓ４）、オンならばレジスト停止を送信し（Ｓ５）、読み取りスタート待機となる（Ｓ６）。その後本体プリントキー（図示せず）が押下されると、本体からの給紙スタート信号を受けて第１画像読み取り部３で第１面（表面）の読み取りを第１面読み取り位置Ｃにおいて行うべく原稿搬送を開始する。
図９は原稿紙厚判定のフローの一例を示すフローチャートである。原稿紙厚判定は第１原稿給紙口使用かどうかを判断し（Ｓ１０）、原稿紙厚が搬送許容厚１より大きい（Ｓ１１）ならば、原稿給紙を停止し（Ｓ１２）、原稿給紙口変更を表示する（Ｓ１３）。
第１原稿給紙口使用でないならば、原稿紙厚が搬送許容厚２より大きい（Ｓ１４）かどうかを判断し、そうならば、原稿給紙を停止し（Ｓ１５）、原稿ジャムを表示する（Ｓ１６）。
【００１１】
図１０、図１１は搬送ギャップ調整のフローの一例を示すフローチャートである。搬送ギャップ調整はレジストセンサ５３がオン（Ｓ２０）ならば、紙厚検知出力→ギャップ調整パルスを算出する（Ｓ２１）。
両面モードである（Ｓ２２）ならば、原稿第１面の読み取りを開始（ＸＳＦＧＡＴＥがオン）する（Ｓ２３）。それと同時に搬送ギャップ調整駆動手段８０によってカム８１（図６参照）が回動してホームポジションセンサ５７をオンする（Ｓ２４）。それにより白基準部材１２とＣＩＳガラス面のギャップが最小となる位置で停止し、白基準部材１２の外周面を読み取ることでシェーディングデータの生成を許可（Ｓ２５）し、それ生成をする。
排紙センサ５４がオン（Ｓ２６）ならば、ギャップ調整モータ（駆動手段）８０を反時計回転（ＣＣＷ）させる（Ｓ２７）。ギャップ調整パルス値に到達した（Ｓ２８）ならば、ギャップ調整モータ（駆動手段）８０を停止する（Ｓ２９）。ホームポジションセンサ５７がオンでない（Ｓ２４）ならば、その場合にギャップ調整モータ（駆動手段）８０を時計回転（ＣＷ）させる（Ｓ３０）。
両面モード（Ｓ２２）でないならば、この時点で紙厚検知手段（センサ）５８の検出結果をコントローラ２３により採取し、搬送ギャップ調整駆動手段８０の駆動条件をコントローラ２３内で設定する。
片面モード時には原稿紙厚検知手段５８により検出した結果から算出した搬送ギャップ調整パルス値に対して、前記搬送ギャップ調整駆動手段８０により駆動したパルス数を比較し、ギャップ調整パルス値≠停止位置である（Ｓ３１）ならば、ギャップ調整パルス値＞停止位置にする（Ｓ３２）。
【００１２】
ギャップ調整パルス値＞停止位置（Ｓ３２）ならば、ギャップ調整モータ８０を反時計回転（ＣＣＷ）させる（Ｓ３３）。ギャップ調整パルス値に到達した（Ｓ３４）ならば、ギャップ調整モータ８０を停止する（Ｓ３５）。
ギャップ調整パルス値＞停止位置（Ｓ３２）でないならば、ギャップ調整モータ８０を時計回転（ＣＷ）させ（Ｓ３６）、ギャップ調整パルス値に到達した（Ｓ３７）ならば、ギャップ調整モータ８０を停止する（Ｓ３５）。
両者が一致していない場合にはその差に応じて搬送ギャップ調整機構を所定量駆動して紙厚に適した位置に白基準部材保持部を調整する。この処理により片面モード時の搬送ギャップ調整機構駆動頻度は必要最低限とすることができる。
次に原稿先端が排紙センサ５４にて検知されると、搬送ギャップ駆動手段８０を所定パルス反時計方向に駆動させて原稿紙厚検知手段５８により検出した結果に基づき、前記搬送ギャップ調整駆動手段により紙厚に応じた搬送ギャップ位置に白基準部材保持部を調整し、原稿紙厚に適した搬送ギャップを確保する。
【００１３】
また、第１原稿給紙口からの給紙のさいに紙厚検知手段５８により第１給紙口からの搬送可能な許容紙厚を超えたことを検出した場合、原稿搬送を強制終了して第２給紙口６１からの搬送をオペレータに促す表示を操作部３２にて行う。第２給紙口６１からの給紙のさいにも第１給紙口からの給送時よりは許容範囲は広いが同様に許容紙厚を超えた場合、原稿搬送ジャムとして原稿給送を強制終了させることにより、原稿破損などの２次トラブルを未然に防止できる。
第２原稿給紙口６１からの原稿給紙時には第２原稿セット検知手段（第２原稿検知センサ）５６により原稿を検出すると、レジスト停止位置まで原稿を自動的に搬送して本体からの読み取りスタート信号待ちの待機状態となる。これらにより、搬送ギャップを最適化することにより、紙厚に応じた搬送ギャップが確保でき原稿搬送性が向上することになる。
図１２は原稿紙厚検知手段を示す概略図である。原稿紙厚検知手段（紙厚検知センサ）５８は原稿を挟持しながら搬送する読み取り入口ローラ６２の従動側読み取り入口ローラ６２ａの挙動を、微少距離変動が測定可能な測距センサにより検出し、紙厚に応じた出力がコントローラ２３に入力される。
【００１４】
【発明の効果】
以上説明したように、請求項１によれば、請求項１では第２面読み取り手段に対向した白基準部材との搬送ギャップを調整可能にすることにより、紙厚の違いに対する搬送性の向上や搬送ギャップによる読み取りレベル差の均一化が可能となる。
請求項２によれば、原稿ターン搬送経路の下流部に開閉可能な第２原稿給紙口を設けることにより、ターン搬送経路での通紙が困難な厚紙原稿の搬送が可能となり、また、紙厚検知手段により原稿紙厚を検出できるため、搬送可能な原稿か否かの判定が可能となり搬送不可能な原稿のジャム発生を未然に防止することができる。
請求項３によれば、読み取りモードに応じて搬送ギャップ調整動作を最適化することができるので、調整機構の耐久性向上と処理時間短縮化が可能となる。
請求項４によれば、第２原稿給紙口から給紙された原稿の第２面読み取り時には、搬送ギャップ調整機構の駆動手段により搬送ギャップを最大にすることで、厚紙両面原稿通紙時の搬送性を向上させることができる。
請求項５によれば、搬送ギャップ調整機構を用いてシェーディングデータを取得する時には白基準部材をＣＩＳガラス面に近づけ、原稿第２面読み取り時にはＣＩＳガラス面とのギャップを確保する事により、読み取りレベルの均一化を図ることができる。
請求項６によれば、第２原稿給紙口から給紙された原稿の第２面読み取り時には、搬送ギャップ調整機構の駆動手段により搬送ギャップを最大にすることで、厚紙両面原稿通紙時の搬送性を向上させることができる。
【図面の簡単な説明】
【図１】本発明の実施の形態である画像形成装置として複写機の概略構造を示す縦断正面図である。
【図２】複写機で使用される第２読み取りローラおよびその前後の原稿搬送経路の縦断正面図である。
【図３】複写機の制御系の電気的な接続を示すブロック図である。
【図４】第２画像読み取り部のブロック図である。
【図５】本発明による画像形成装置に使用するＡＤＦの搬送経路を示す概略図である。
【図６】第２読み取り部の搬送ギャップ調整機構を示す概略図である。
【図７】図６の第２読み取り部の搬送ギャップ調整機構の変形例を示す概略図である。
【図８】第２給紙口搬送制御のフローの一例を示すフローチャートである。
【図９】原稿紙厚判定のフローの一例を示すフローチャートである。
【図１０】搬送ギャップ調整のフローの前段部を示すフローチャートである。
【図１１】搬送ギャップ調整のフローの後段部を示すフローチャートである。
【図１２】原稿紙厚検知手段を示す概略図である。
【符号の説明】
１  画像読み取り装置、３  第１面読み取り手段（第１画像読み取り部）、４第２面読み取り手段（第２画像読み取り部）、７  原稿ターン搬送経路、１２読み取りローラ、白基準部材、１３  基準白色読み取り面、２０  用紙、２２本体制御部（制御手段）、２３  コントローラ、５５  第２給紙口開閉検知手段（第２給紙口開閉検知センサ）、５７  ホームポジションセンサ、５８  紙厚検知手段（紙厚検知センサ）、６１  第２給紙口、８０  搬送ギャップ調整駆動手段
【図１】
2004274278.tif 000003
【図２】
2004274278.tif 000004
【図３】
2004274278.tif 000005
【図４】
2004274278.tif 000006
【図５】
2004274278.tif 000007
【図６】
2004274278.tif 000008
【図７】
2004274278.tif 000009
【図８】
2004274278.tif 000010
【図９】
2004274278.tif 000011
【図１０】
2004274278.tif 000012
【図１１】
2004274278.tif 000013
【図１２】
2004274278.tif 000014